(57)【要約】【課題】  スタート地点におけるスタート合図ピストルの発射タイミングを自動化し、競技スターターの心理的な負担を軽減する競技用計時表示装置を提供すること。【解決手段】  複数の競技用計時表示装置を競技コースのスタート地点、中継地点、ゴール地点等互いに離れた地点に配置して、前記各競技用計時表示装置は内蔵する標準時計を基準に予め設定した刻限に前記各競技用計時表示装置の計数を開始し、かつ、前記スタート地点における競技用計時表示装置は計数の開始前に予告信号を出力し、計数の開始のタイミングでスタート合図用ピストルを自動的に発射する。【選択図】    図２ａ
2007139723.tif 000002
【特許請求の範囲】
【請求項１】
複数の競技用計時表示装置を競技コースのスタート地点、中継地点、ゴール地点等互いに離れた地点に配置して競技開始時刻から競技経過時間の計数を開始し、前記各々の地点の競技者の通過時間、全走行時間等のデータを出力あるいは表示する計時システムにおいて、前記複数の競技用計時表示装置は各々操作器を備え、前記操作器は標準時計を内蔵し、前記標準時計を基準として予め前記操作器により設定した刻限に前記各競技用計時表示装置の計数を開始することを特徴とする競技用計時表示装置。
【請求項２】
前記スタート地点に配置する競技用計時表示装置は競技開始時刻前に予告信号を伴ったスタート信号を出力し、前記スタート信号により競技経過時間の計数開始と併せてスタートピストルの発射をトリガーすることを特徴とする請求項１記載の競技用計時表示装置。
【請求項３】
前記各競技用計時表示装置は時刻校正用受信機を内蔵し前記標準時計を校正できることを特徴とする請求項１乃至２記載の競技用計時表示装置。
【発明の詳細な説明】
【技術分野】
【０００１】
本発明はマラソン競技等における計時システムに係り、スタート地点、中継地点、ゴール地点等が互いに遠地点に離れて配置される競技用計時表示装置に関する。
【背景技術】
【０００２】
マラソン競技等においては一般的にコースのスタート地点、中継地点、ゴール地点は互いに離れて配置されていて、競技の経過時間、すなわち競技スタート時刻から中継地点までの経過時間、あるいはゴール地点までの全走行時間を計測して表示するためには、スタート地点のスタート合図に同期して中継地点およびゴール地点の競技用計時表示装置を起動する必要があった。また、大きな競技会などではあらかじめ開始時刻を決めてスタート合図を行うことがあった。
【０００３】
以下図面にもとづいて従来技術におけるマラソン競技等における競技用計時表示装置の構成と各構成要素の機能を説明する。
【０００４】
図４はマラソン競技等における一般的な計時システムの構成図であって、４００は計時システムを示す。４０１はマラソン競技等の競技コース、４０２はスタート地点、４０３は中継地点、４０４はゴール地点であって、スタート地点４０２、中継地点４０３、ゴール地点４０４には競技用計時表示装置４０５ａ、４０５ｂ、４０５ｃを配置してある。なお、中継地点４０３の競技用計時表示装置４０５ｂは競技コースの複数地点に配置する場合が多い。
【０００５】
スタート地点４０２の競技用計時表示装置４０５ａにはスタート合図ピストル４０６を接続し、中継地点４０３の競技用計時表示装置４０５ｂおよび、ゴール地点４０４の競技用計時表示装置４０５ｃには計時測定スイッチ４０６ｂ、４０６ｃを各々接続し、競技の計測はスタート合図ピストル４０６を発射することで開始するが、スタート合図ピストル４０６の発射と同時に各競技用計時表示装置４０５ａ、４０５ｂ、４０５ｃは競技経過時間をゼロから計数し、各々の地点の競技者の通過タイミングで計時測定スイッチ４０６ｂ、あるいは４０６ｃを操作して、競技者の通過時間、全走行時間等のデータを出力あるいは表示することができる。
【０００６】
図５はマラソン競技等における一般的な計時システムの詳細構成図であって、５００は計時システムを示す。
【０００７】
計時システム５００はスタート合図ピストル４０６、操作器５０１、標準電波等を受信できる高精度時間基準器５０７、前記高精度時間基準器５０７に付随するアンテナ５１７、複数の中継器５０４ａ、５０４ｂで構成した中継器群５０４、および第１の競技用計時表示装置群５０５ａ、第２の競技用計時表示装置群５０５ｂで構成してある。
【０００８】
前記第１の競技用計時表示装置群５０５ａの内容は図４にもとづいて説明した競技用計時表示装置４０５ａ、４０５ｂ、４０５ｃであって、同様に前記第２の競技用計時表示装置群５０５ｂの内容は競技用計時表示装置４０５ｄ、４０５ｅ、４０５ｆであって、前記競技用計時表示装置４０５ａ、４０５ｂ、４０５ｃと同様な機能を有する移動車両用の競技用計時表示装置である。
【０００９】
競技用計時表示装置４０５ａは操作器５０１ａと表示装置５０２ａと電源用バッテリー５０３ａで構成し、バッテリー５０３ａを電源として操作器５０１ａの計時データを表示装置５０２ａで表示する。他の競技用計時表示装置４０５ｂ、４０５ｃ、４０５ｄ、４０５ｅ、４０５ｆも同様な構成で、例えば競技用計時表示装置４０５ｆは操作器５０１ｆと表示装置５０２ｆと電源用バッテリー５０３ｆで構成してある。
【００１０】
すなわち、前記第１の競技用計時表示装置群５０５ａと第２の競技用計時表示装置群５０５ｂ内の各競技用計時表示装置４０５ａ、４０５ｂ、４０５ｃ、４０５ｄ、４０５ｅ、４０５ｆは全て類似仕様の操作器と表示装置と電源用バッテリーで構成してあり、とりわけスタートピストルを接続する操作器５０１と各競技用計時表示装置４０５ａ、４０５ｂ、４０５ｃ、４０５ｄ、４０５ｅ、４０５ｆ内の操作器５０１ａ、５０１ｆ等は完全な互換性仕様を有している。
【００１１】
なお、マラソン競技等の競技用計時表示装置として最も重要なことは、各競技用計時表示装置４０５ａ、４０５ｂ、４０５ｃ、４０５ｄ、４０５ｅ、４０５ｆはスタート合図ピストル４０６の発射に同期して計時機能がゼロから計数を開始することであり、また、各競技用計時表示装置４０５ａ、４０５ｂ、４０５ｃ、４０５ｄ、４０５ｅ、４０５ｆは競技の開始から終了までの計時積算誤差があってはならないことである。
【００１２】
後者、すなわち計時積算誤差に対しては競技期間中の積算誤差が競技規定に定めた誤差範囲に入る高精度時間基準器を各競技用計時表示装置４０５ａ、４０５ｂ、４０５ｃ、４０５ｄ、４０５ｅ、４０５ｆに搭載するが、前者、すなわち競技スタート時の各競技用計時表示装置４０５ａ、４０５ｂ、４０５ｃ、４０５ｄ、４０５ｅ、４０５ｆの同期起動は以下のように行う。
【００１３】
すなわち、競技スタート前には全ての計時システム５００はスタート地点４０２に配置され、各構成要素は実線で示す接続がなされている。ここで操作器５０１は、高精度時間基準器５０７に接続して操作器５０１の内部時間基準器の周波数校正と中継器群５０４を経由して前記第１の競技用計時表示装置群５０５ａあるいは前記第２の競技用計時表示装置群５０５ｂ内の各競技用計時表示装置４０５ａ、４０５ｂ、４０５ｃ、４０５ｄ、４０５ｅ、４０５ｆ内の各操作器５０１ａ、５０１ｂ等の内部時間基準器の周波数校正を実施する。
【００１４】
競技スタート時にはスタート合図ピストル４０６の発射に同期して操作器５０１および中継器群５０４を経由して前記第１の競技用計時表示装置群５０１ａあるいは前記第２の競技用計時表示装置群５０１ｂ内の各競技用計時表示装置４０５ａ、４０５ｂ、４０５ｃ、４０５ｄ、４０５ｅ、４０５ｆ内の各操作器５０１ａ、５０１ｂ等は競技経過時間をゼロから計数を開始する。
【００１５】
競技スタート後は各競技用計時表示装置４０５ａ、４０５ｂ、４０５ｃ、４０５ｄ、４０５ｅ、４０５ｆは計時システム５００からの接続を切り離し、スタート地点４０２に据え置く競技用計時表示装置４０５ａ以外の各競技用計時表示装置４０５ｂ、４０５ｃ、４０５ｄ、４０５ｅ、４０５ｆはそれぞれの計測地点へ搬送する。
【００１６】
すなわち、各競技用計時表示装置４０５ａ、４０５ｂ、４０５ｃ、４０５ｄ、４０５ｅ、４０５ｆは競技スタート後には全て同期して競技経過時間を計時表示することができるのである。
【００１７】
ここで、前記第１の競技用計時表示装置群５０５ａは据え置き型、第２の競技用計時表示装置群５０５ｂは移動型であって、競技用計時表示装置４０５ａはそのままスタート地点４０２に配置し、競技用計時表示装置４０５ｂ、４０５ｃは車両等で、競技用計時表示装置４０５ｂは中継地点４０３へ、競技用計時表示装置４０５ｃはゴール地点４０４へ搬送し、競技用計時表示装置４０５ｄ、４０５ｅ、４０５ｆは移動体競技用計時表示装置としてそれぞれ移動車両等に搭載し、競技者の走行に伴走して競技経過時間、中継地点通過時間、全走行時間等のデータを出力あるいは表示する。
【００１８】
なお、各操作器は競技スタート時に中継器群５０４を介して内部時間基準器の校正とスタート起動後の競技経過時間の計数は同期しているので、前記各操作器内部に小容量のバッテリーを内蔵することで、操作器５０１ａ、５０１ｆ等を表示装置５０２ａ、５０２ｆ等と切り離して搬送を容易にする場合もある。
【００１９】
図６、図７、図８は図５の計時システム構成要素の詳細を示し、図６は操作器５０１の外部接続端子図、図７は高精度時刻基準器５０７の外部接続端子図、図８は中継器５０４ａの外部接続端子図である。
【００２０】
図６の操作器５０１において、６１１はスタートピストル４０６あるいは計時測定スイッチ４０６ｂ、４０６ｃ等のトリガー信号接続栓、６１５は中継器を経由あるいは直接他の操作器のデータ等を入力する外部データ入力栓、６１６は高精度時刻基準器５０７からの校正用信号入力栓、６１３は競技計時データを表示するための表示データ出力栓、６１４は操作器５０１の内部データを転送して他の操作器を同期するための時刻データを出力するデータ出力栓である。そして、操作器５０１は他の全ての操作器５０１ａ、５０１ｆ等と互換性を有する。６０６はスタートピストルとの接続ケーブルである。また、操作器５０１等全ての操作器は設置場所に合わせた機能に切り換える操作部（図示せず）を有し、トリガー信号接続栓６１１に接続するスタートピストル４０６あるいは計時測定スイッチ４０６ｂ、４０６ｃ等の選択や複数データの表示タイムの選択ができる。
【００２１】
図７の高精度時刻基準器５０７において、７０１は報時信号の受信アンテナ接続栓、７０２は操作器５０１等の内部時刻基準器を校正する時刻基準信号出力栓である。前記高精度時刻基準器５０７が受信する報時信号としては、時刻情報を有するいわゆる標準電波のほか、ラジオ、テレビジョン等の報時信号を含む放送電波等である。
【００２２】
図８の中継器５０４ａにおいて、８０１はスタート信号等のデータ入力栓、８０２と８０３は中継器を増設する際の接続栓で、８０２は入力信号栓、８０３は出力信号栓である。８０４ａ、８０４ｂ、８０４ｃは各競技用計時表示装置の操作器５０１ａ、５０１ｆ等との接続栓である。
【００２３】
図９ａ、図９ｂは表示装置５０２ａもしくは５０２ｆの外観図であって、図９ａは２データ表示、図９ｂは１データ表示である。図９ａ、図９ｂにおいて、９２２は表示データ入力栓、９２３は電源接続栓、９０３は第１表示部、９０４は第２表示部である。なお、これら表示装置５０２ａ、５０２ｆ等の表示部は第１表示部９０３のみの場合や片面表示型や両面表示型の場合もある。
【００２４】
図１０ａ、図１０ｂは表示装置を移動車両に搭載した表示装置搭載車両の外観図であって、図１０ａは２データを表示する表示装置搭載車両、図１０ｂは１データを表示する表示装置搭載車両である。
【００２５】
なお、これらの計時システム４００あるいは５００を使用し、放送あるいは放映を伴う競技会においては、放送あるいは放映の時間管理の都合上あらかじめ競技スタート時刻を定め、定刻に競技スターターがスタート合図を行うことが多い。
【００２６】
図１１は定刻スタートの手順の一例を示す時間経過図であるが、９００は一般放送等、あるいは競技場に設置した標準時計が発する予告信号音９１４を伴った報時信号音９１５であって、競技スターターは予告信号音９１４のタイミングでスタート合図の準備を行い報時信号音９１５のはじまりのタイミングでスタート合図ピストル４０６の引き金を引く。
【発明の開示】
【発明が解決しようとする課題】
【００２７】
しかしながら、以上に述べた従来技術におけるマラソン競技等における計時システムにおいては、大きな問題があった。
【００２８】
すなわち、スタート地点のスタート合図は競技用スタートピストルの発射音で競技を開始するのでスタートピストルを操作する競技スターターの責任は大きく、特に大きな競技会でテレビジョンあるいはラジオ等の実況放送中継を伴う競技会などでは定時刻に精確にスタートピストルの発射操作を要求されることがあり、競技スターターは極度な緊張を強いられ、心理的に非常に大きな負担となる。その結果スタート合図を誤操作しかねないという懸念があった。
【００２９】
また、競技スターターが報時信号音を聴取してスタート合図のピストルを発射するという人為的な操作は個人差が生じ易く、極めて微少な記録差を競う競技結果に疑義を投じることにもなりかねないという課題もあった。さらに、競技コースのスタート地点、中継地点、ゴール地点等互いに離れた地点に複数の競技用計時表示装置を配置することから各地点の競技用計時表示装置を前述のように競技開始前に全ての競技用計時表示装置をスタート地点に集結して競技開始のタイミングで同時に起動しなければならないという課題もあった。
【００３０】
（発明の目的）
すなわち、本発明の目的は、複数の競技用計時表示装置を競技コースのスタート地点、中継地点、ゴール地点等互いに離れた地点に配置してあらかじめ定めた定刻に競技を開始するマラソン競技等において、前記スタート地点における競技スターターが操作するスタート合図ピストルの発射タイミングを自動化し、競技スターターの心理的な負担を軽減するとともに競技スターターの人為的な誤操作を無くし、かつ、スタート合図の発信に対して前記競技コースに配置した複数の競技用計時表示装置全てを極めて精確に同期することができる競技用計時表示装置を提供することにある。
【課題を解決するための手段】
【００３１】
上記目的を達成するために本発明は、複数の競技用計時表示装置を競技コースのスタート地点、中継地点、ゴール地点等互いに離れた地点に配置して競技開始時刻から競技経過時間の計数を開始し、前記各々の地点の競技者の通過時間、全走行時間等のデータを出力あるいは表示する計時システムにおいて、前記複数の競技用計時表示装置は各々操作器を備え、前記操作器は標準時計を内蔵し、前記標準時計を基準として予め前記操作器により設定した刻限に前記各競技用計時表示装置の計数を開始することを特徴とする。
【００３２】
すなわち、競技コースのスタート地点、中継地点、ゴール地点等互いに離れた地点にそれぞれ配置した各競技用計時表示装置は予め定めた競技スタート時刻に前記各競技用計時表示装置が内蔵する標準時計を基準に前記予め定めた競技スタート時刻に競技時間の計数を開始するので、スタート地点に配置した競技用計時表示装置と他の地点に配置した競技用計時表示装置との計数開始のタイミングを改めて同期する必要がない。
【００３３】
また、前記スタート地点に配置する競技用計時表示装置は競技開始時刻前に予告信号を伴ったスタート信号を出力し、前記スタート信号により競技経過時間の計数開始と併せてスタートピストルの発射をトリガーすることを特徴とする。
【００３４】
すなわち、スタート地点に配置する競技用計時表示装置の競技開始時刻前の予告信号により音声等の可聴音を発することで競技者および競技スターターにスタート準備をうながし、スタートピストルはスタート時刻に極めて精確に発射することができる。
【００３５】
（請求項３：時刻校正用受信機内蔵）
また、前記各競技用計時表示装置は時刻校正用受信機を内蔵し前記標準時計を校正できることを特徴とする。
【００３６】
すなわち、競技コースの各地点に配置した競技用計時表示装置は各々標準電波等の標準時刻信号もしくはタイミング信号で同期するので、全ての競技用計時表示装置をスタート地点に集めて競技開始のスタートタイミングを同期する必要がない。
【発明の効果】
【００３７】
以上のように本発明によれば、複数の競技用計時表示装置を競技コースのスタート地点、中継地点、ゴール地点等互いに離れた地点に配置して競技計時を行うマラソン競技等において、前記各競技用計時表示装置は内蔵する標準時計を基準に予め設定した刻限に前記各競技用計時表示装置の計数を開始し、かつ、前記スタート地点における競技用計時表示装置は計数の開始前に予告信号を出力し、計数の開始のタイミングでスタート合図用ピストルを自動的に発射するので、競技スターターの心理的な負担を軽減するとともに競技スターターの人為的な誤操作を無くし、かつ、スタート合図の発信に対して前記競技コースに配置した複数の競技用計時表示装置全てを極めて精確に同期することができる。
【発明を実施するための最良の形態】
【００３８】
以下、本発明の実施形態について図面を用いて説明する。図１は本発明の実施形態における競技用計時表示装置のブロック図、図２ａは本発明の実施形態における前記競技用計時表示装置内の操作器の詳細ブロック図、図２ｂは本発明に用いるスタート合図用ピストル例のブロック図、図３ａ、図３ｂ、図３ｃはスタート信号のタイムチャートを示す。
【００３９】
図１において、１００はスタート地点の競技用計時表示装置の構成を示し、１０５は競技用計時表示装置であって、スタート合図用ピストル１０６等スタート地点に使用する装置を接続してある。前記競技用計時表示装置１０５は操作器１０１、表示装置１０２、電源用バッテリー１０３で構成し、後述のように他の中継地点、ゴール地点における競技用計時表示装置と同様な構成となっている。
【００４０】
操作器１０１において、１１１は競技タイミング入出力栓であって、スタート合図用ピストル１０６もしくは後述の計時測定スイッチ１０６ａを接続する。１１２は音響入出力栓であって、競技スターターに競技開始タイミングを知らせるヘッドセット１０７および後述の外部スピーカ１０７ｂを接続する。１１３は表示信号出力栓であって、前述の表示装置１０２を接続して操作器１０１の計時データを表示装置１０２で表示する。１１４はデータ出力栓であって、本操作器１０１の内部データを他の操作器に転送する場合の信号出力栓である。１１５はデータ入力栓であって、他の操作器から本操作器１０１に内部データを転送する場合の信号出力栓である。１１７は受信アンテナ、１１６は受信アンテナ接続栓であって、操作器１０１が内蔵する時刻校正用受信機のアンテナ接続栓である。
【００４１】
表示装置１０２において、１２２は表示データ入力栓であって、前記操作器１０１からの計時データを入力する。１２３は電源接続栓であって、前述の電源用バッテリー１０３から表示装置駆動用電源を供給する。１２４は表示体であって、ここでは第１表示部、第２表示部を備えた２データ表示の表示体を示す。
【００４２】
１３１は電源用バッテリー１０３の電源端子栓であって、電源用バッテリー１０３から前記表示装置１０２に電源を供給するが、電源用バッテリー１０３は競技コース上を走行する車両に競技用計時表示装置を搭載する車載競技用計時表示装置の場合は車両の電源バッテリーから供給する場合もある。
【００４３】
すなわち、スタート地点における競技用計時表示装置１００は操作器１０１、表示装置１０２、電源用バッテリー１０３で構成し、操作器１０１は内蔵する標準時計を基準に予め設定した刻限に競技スタート信号を出力するとともに競技経過時間の計測を開始し、競技計測に必要な全ての計時データを保持し、かつ、操作器１０１内の計時データを操作器１０１の操作で表示装置１０２に競技計測データを表示することができるのである。
【００４４】
なお、図１の競技用計時表示装置１００はスタート地点の競技用計時表示装置として説明したが、他地点における競技用計時表示装置も同様な構成であり、特に操作器１０１は他の地点、すなわち中継地点、ゴール地点等の競技用計時表示装置に組み込む操作器と全く同じ仕様であり完全な互換性を有している。
【００４５】
以下操作器１０１の内部構成と機能を図２ａの操作器の詳細ブロック図にもとづいて説明する。
【００４６】
図２ａにおいて、２０１は基準クロック部、２０２は時刻積算演算部、２０３は操作部、２０４はモニタ部、２０５は起動停止タイミング入出力部、２０６は音響入出力部、２０７は時刻校正用受信機である。
【００４７】
前記時刻積算演算部２０２はＣＰＵ（中央演算処理装置）を主体に構成し、前記基準クロック部２０１のクロック信号の積算動作により標準時計機能を有するほか、操作器１０１機能の動作処理、すなわち、前記各地点における競技用計時表示装置オペレーターによる操作部２０３の操作処理、前記操作器１０１の操作と動作状況をモニタ部２０４へ表示処理、前記競技タイミング入出力栓１１１を経由する起動停止タイミング入出力部２０５への信号処理、前記音響入出力栓１１２を経由する音響入出力部２０６への信号処理、受信アンテナ１１７および前記受信アンテナ接続栓１１６を経由して標準電波等を受信して前記操作器１０１内の標準時計機能を校正する時刻校正用受信機２０７の制御等の動作処理、および前記表示信号出力栓１１３、データ出力栓１１４、データ入力栓１１５経由の信号入出力の制御を行う。
【００４８】
スタート地点および他の地点、すなわち中継地点、ゴール地点に配置した全競技用計時表示装置の前記操作器１０１は競技開始前に時刻校正用受信機２０７により標準電波等を受信して時刻積算演算部２０２の標準時計機能を正しく時刻同期し、前記操作部２０３の操作で前記標準時計機能を基準として操作器１０１により予め決められた競技開始刻限に前記全競技用計時表示装置が計数を開始するように設定する。なお、前記各地点に配置する操作器１０１内部の時刻校正用受信機２０７が受信する時刻同期信号は時刻情報を有するいわゆる標準電波のほか、ＧＰＳ、テレビジョンの水平あるいは垂直走査信号など時刻同期信号を含む電波である。
【００４９】
そして、前記競技タイミング入出力栓１１１には、スタート地点においては競技スタート合図を発するスタート合図用ピストル１０６を接続し、他の地点、すなわち中継地点、ゴール地点においては計時測定スイッチ１０６ａを接続する。また、前記音響入出力栓１１２には、スタート地点においては競技スターターに競技開始タイミングを知らせるヘッドセット１０７および競技参加者へスタート合図を知らせる外部スピーカ１０７ｂを接続し、他の地点、すなわち中継地点、ゴール地点では競技情報の必要に応じてヘッドセット１０７あるいは外部スピーカ１０７ｂを接続する。
【００５０】
すなわち、前記スタート地点において、スターターはヘッドセット１０７を通じて操作器１０１からの予め設定した競技開始刻限の予告信号を聴取し、スタート合図用ピストル１０６を構える。次いで操作器１０１からの計数開始のタイミングでスタート合図用ピストルは自動的に発射する。
【００５１】
また、他の地点、すなわち中継地点、ゴール地点においては各々の地点の競技者の通過タイミングで計時測定スイッチ１０６ａを操作して、通過時間、全走行時間等のデータを操作器１０１内でラッチして各表示装置１０２で競技計測時間を表示する。
【００５２】
スタート地点の外部スピーカ１０７ｂからは操作器１０１に予め設定した競技開始刻限の予告信号音あるいは合成予告音を出力し、競技者あるいは競技開催者に競技開始刻限が迫っていることを知らせる。そして競技開始数１０分前から分単位間隔の合成予告音、競技開始直前は秒単位間隔の予告信号音を出力する。他の地点、すなわち中継地点、ゴール地点の外部スピーカ１０７ｂは接続の必要は無いが、周囲の観客に競技開始の雰囲気を知らせるために用いても良い。
【００５３】
図２ｂは本発明の競技用表示装置に用いるスタート合図用ピストルのブロック図を示し、１０６はスタートピストル、１１１ａは競技タイミング入力栓であって、スタート合図用ピストル１０６と前述した操作器１０１の競技タイミング入出力栓１１１とを接続する。
【００５４】
スタート合図用ピストル１０６はロータリーソレノイド２２１、撃鉄２２２、火薬部２２３、マイクロスイッチ２２４、フラッシュ部２２５とダミートリガー部２２９で構成される。操作器１０１からの競技開始信号により矢印符号の流れでロータリーソレノイド２２１が作動し、撃鉄２２２が打ち下ろされ火薬部２２３の火薬が破裂し、撃鉄２２２の動きに連動するマイクロスイッチ２２４の作動でフラッシュ部を２２５トリガーして、火薬部２２３の火薬の破裂により炸裂音が放音口２２６から、火薬の発煙が発煙口２２７から、フラッシュ部２２５の動作により発光部２２８から閃光が発せられる。ダミートリガーはスターターが前述のヘッドセット１０７を通じて競技開始刻限の信号を聴き、スタートタイミングに合わせて操作するスタート合図用ピストル１０６の引き金であって、スタート合図とは連動していない。
【００５５】
次に前述の操作器１０１の予め決められた競技開始刻限に前記全競技用計時表示装置が計数を開始するまでの時間経過を図３ａ、図３ｂ、図３ｃのタイムチャートにより説明する。
【００５６】
図３ａは競技開始３０分前からのタイムチャートで、符号３０１の範囲は競技開始３０分前から１分前までの操作器１０１が出力する合成予告音で、ここでは競技開始３０分前、２０分前、１５分前、１０分前、５分前、４分前、３分前、２分前に競技開始予告アナウンスを音声合成信号等で出力する。符号３０２は図３ｂで詳述する競技開始６０秒前からの信号出力部である。
【００５７】
図３ｂは前記合成予告音３０１に続く競技開始６０秒前からのタイムチャートで、競技開始６０秒前から５秒前までの合成予告音であって符号３０２で示す。ここでは競技開始６０秒前、５０秒前、４０秒前、３０秒前、２０秒前、１０秒前、５秒前に競技開始予告アナウンスを音声合成信号等で出力する。符号３０３は図３ｃで詳述する競技開始３秒前からのスタート合図信号である。
【００５８】
図３ｃは図３ｂの符号３０３で示した競技開始３秒前からのタイムチャートで、スタート合図信号３０３は競技開始予告信号音３０４と競技開始信号音３０５で構成している。ここでは競技開始予告信号音３０４は競技開始３秒前、２秒前、１秒前に４４０Ｈｚ０．１秒間の予告信号音出力であり、競技開始信号音３０５は８８０Ｈｚ１秒間に減衰を伴った競技開始信号音出力であって、前述のスタート合図用ピストル１０６の発射と前記競技開始信号音３０５の出力開始タイミングは操作器１０１が出力する競技開始信号に同期して作動する。なお、スタート地点４０２においてはスタート合図用ピストル１０６が発射されるので前記競技開始信号音３０５は出力しない場合もある。
【００５９】
すなわち、本発明のスタート地点における競技用計時表示装置は、競技開始３０分前から競技開始刻限が近づくに従い間隔が分単位あるいは秒単位で短くなる競技開始を予告する競技開始予告信号音あるいは合成音によるアナウンスと競技開始３秒前からは秒間隔の競技開始予告信号音をスターターへはヘッドセット１０７、競技者にはスピーカ１０７ｂを通じて発し、競技開始刻限には競技開始信号音を発すると同時にスタート合図用ピストルが発射されて前記競技用計時表示装置の競技経過時間の計数が開始する。
【００６０】
スタート地点以外の地点、すなわち中継地点、ゴール地点に配置した競技用計時表示装置にはスタート合図用ピストルは接続しないが、競技開始予告信号音あるいは競技開始信号音の出力は可能である。
【００６１】
以上のように本発明によれば、複数の競技用計時表示装置を競技コースのスタート地点、中継地点、ゴール地点等互いに離れた地点に配置して競技計時を行うマラソン競技等において、前記各競技用計時表示装置は内蔵する標準時計を基準に予め設定した刻限に前記各競技用計時表示装置の計数を開始し、かつ、前記スタート地点における競技用計時表示装置は計数の開始前に予告信号を出力し、計数の開始のタイミングでスタート合図用ピストルを自動的に発射するので、競技スターターの心理的な負担を軽減するとともに競技スターターの人為的な誤操作を無くし、かつ、スタート合図の発信に対して前記競技コースに配置した複数の競技用計時表示装置全てを極めて精確に同期起動することができるのである。
【図面の簡単な説明】
【００６２】
【図１】本発明の実施形態における競技用計時表示装置のブロック図である。
【図２ａ】本発明の実施形態における競技用計時表示装置内の操作器の詳細ブロック図である。
【図２ｂ】本発明に用いるスタート合図用ピストル例のブロック図である。
【図３ａ】本発明の実施形態におけるスタート信号のタイムチャートを示す。
【図３ｂ】本発明の実施形態におけるスタート信号のタイムチャートを示す。
【図３ｃ】本発明の実施形態におけるスタート信号のタイムチャートを示す。
【図４】従来技術における一般的な計時システムの構成図である。
【図５】従来技術における一般的な計時システムの詳細構成図である。
【図６】従来技術における操作器の外部接続端子図である。
【図７】従来技術における高精度時刻基準器外部接続端子図である。
【図８】従来技術における中継器の外部接続端子図である。
【図９ａ】従来技術における表示装置の外観図である。
【図９ｂ】従来技術における表示装置の外観図である。
【図１０ａ】従来技術における表示装置搭載車両の外観図である。
【図１０ｂ】従来技術における表示装置搭載車両の外観図である。
【図１１】従来技術における定刻スタート手順の時間経過図である。
【符号の説明】
【００６３】
１００  スタート地点の競技用計時表示装置
１０５、４０５ａ、４０５ｂ、４０５ｃ、４０５ｄ、４０５ｅ、４０５ｆ  競技用計時表示装置
１０１、５０１、５０１ａ、５０１ｆ  操作器
１０２、５０２ａ、５０２ｆ  表示装置
１０３、５０３ａ、５０３ｆ  電源用バッテリー
１０６、４０６  スタート合図用ピストル
１０６ａ、４０６ｂ、４０６ｃ  計時測定スイッチ
１０７  ヘッドセット
１０７ｂ  外部スピーカ
１１１  競技タイミング入出力栓
１１２  音響入出力栓
１１７、５１７ アンテナ
２０１  基準クロック部
２０２  時刻積算演算部
２０３  操作部
２０４  モニタ部
２０５  起動停止タイミング入出力部
２０６  音響入出力部
２０７  時刻校正用受信機
２２１  ロータリーソレノイド
２２２  ２２１
２２２  撃鉄２２２
２２３  火薬部
２２５  フラッシュ部
２２９  ダミートリガー部
３０１、３０２  合成予告音
３０３  スタート合図信号
３０４  予告信号音
３０５  競技開始信号音
４００、５００ 計時システム
４０１ 競技コース
４０２ スタート地点
４０３ 中継地点
４０４ ゴール地点
５０４ａ、５０４ｂ 中継器
５０５ａ 第１の競技用計時表示装置群
５０５ｂ 第２の競技用計時表示装置群
６１１  トリガー信号接続栓
６１６  校正用信号入力栓
【図１】
2007139723.tif 000003
【図２ａ】
2007139723.tif 000004
【図２ｂ】
2007139723.tif 000005
【図３ａ】
2007139723.tif 000006
【図３ｂ】
2007139723.tif 000007
【図３ｃ】
2007139723.tif 000008
【図４】
2007139723.tif 000009
【図５】
2007139723.tif 000010
【図６】
2007139723.tif 000011
【図７】
2007139723.tif 000012
【図８】
2007139723.tif 000013
【図９ａ】
2007139723.tif 000014
【図９ｂ】
2007139723.tif 000015
【図１０ａ】
2007139723.tif 000016
【図１０ｂ】
2007139723.tif 000017
【図１１】
2007139723.tif 000018